【事件の表示】
　平成１１年特許願第１８５８７７号「オフセット印刷機」拒絶査定不服審判事件〔平成１２年　４月１８日出願公開、特開２０００−１０８３１４〕について、次のとおり審決する。
【結　論】
　本件審判の請求は、成り立たない。
【理　由】
１．手続の経緯
　本願は、平成１０年９月３０日に出願した特願平１０−２７７５２３号の一部を平成１１年６月３０日に新たな特許出願としたものであって、平成１７年２月２３日付けで拒絶査定がなされ、これに対し、同年３月３０日付けで拒絶査定に対する審判請求がなされたものである。
　
２．本願発明
　本願請求項３に係る発明（以下、「本願発明」という。）は、出願当初明細書の特許請求の範囲の請求項３に記載された事項により特定される次のものと認める。
「少なくとも、インキを一時的に貯蔵できるインキ壺と、印刷を行なう版胴と、前記インキ壺より版胴にインキを供給するインキローラー群と、該インキローラー上のインキ皮膜の膜厚分布を調整するインキキーとを有するオフセット印刷機において、
　所定枚数印刷物の印刷終了後に、オフセット印刷機停止命令を入力できる命令入力手段と、
　該命令入力後に、前記インキ壺からインキローラー群へのインキ供給を停止するローラーインキ供給停止手段と、
　該インキローラー群へのインキ供給停止後に、版胴へのインキ供給を停止する版胴インキ供給停止手段と、
　該版胴へのインキ供給停止後に、オフセット印刷機の印刷を徐々に回転数を低下させて停止する印刷停止手段と、
　を有することを特徴とするオフセット印刷機。」
　
３．引用刊行物
（ａ）原査定の拒絶の理由に引用された刊行物である特開平５−２７８２０４号公報（以下、「刊行物１」という。）には、以下の記載が図示とともにある。
　ア．【請求項１】  インキ又は水の移転を行うインキ着けローラ，水着けローラ，版胴，ブランケット胴及び圧胴を有する印刷機械において、前記各ローラの相互の着脱を制御するローラ着脱制御装置と、前記制御装置に各ローラの着脱タイミングを指示する制御パターン入力装置とを具え、版替えのために印刷機停止時にインキ練りローラ群に残留するインキ量が一定になるように構成したことを特徴とする色調安定化装置。
　イ．【０００１】
【産業上の利用分野】本発明は印刷開始時の色調を安定化することのできるオフセット印刷機に関する。
　ウ．【０００２】
【従来の技術】印刷される絵柄にはインキ付着部分（絵柄面積率）が少ない絵柄から多い絵柄までいろいろ有る。印刷会社では１台の印刷機で１日に５つから１０以上の絵柄を刷っている。これらの絵柄を替える事は、刷る絵柄用の版を替える事によって行われるが、この時インキ練りローラ群（図１の９〜２５）に溜まっているインキ量は、前の絵柄面積率に相当する量が残っている（図２の２６の実線）。すなわち絵柄面積率が大きい場合は、インキ練りローラ群に溜まっているインキ量は多く、絵柄面積率が小さい時にはインキ量は少ない。このため絵柄面積率の大きい絵柄から小さい絵柄へ絵柄を替えた時には、小さい絵柄に相当するインキ量以上のインキがインキ練りローラ群上に溜まっている事になる。
　エ．【０００３】現在インキ供給量のプリセット値は、絵柄面積率を基にして指示されるため、もし残留インキの処理を行わず、指示されたプリセット値で印刷を行った場合、インキ練りローラ上に溜まっているインキが絵柄面積率相当になるまで、即ち印刷する事によって余剰インキ量を紙に消費しきるまで、色調は安定しない（図３の２９）。一方絵柄面積率の小さいものの場合、印刷によって消費されるインキ量は少なく、色調の安定までに約３００〜５００枚程度かかる場合もあり、不良紙を増加させる。
　オ．【０００７】
【作用】ローラ群上に溜まっている余剰なインキを消費し、次の絵柄による印刷開始前にはローラ群上には常に一定レベルのインキ量（図２の破線２７）だけ残るようになる。
　カ．【０００８】
【実施例】本発明の実施例を図１乃至図５について説明する。図において、１は圧胴、２はブランケット胴、３は版胴、４はインキ着けローラ、５は水着けローラ、６は水元ローラ、７はインキ元ローラ、８はインキ呼出ローラ、９〜２５はインキ練りローラ、２６は従来版替え後にインキ練りローラに溜まっているインキ量、２７は本案によって版替え後にインキ練りローラに残っているインキ量、２８〜３０は版替え後の印刷直後の印刷物の濃度変化、３１はローラ着脱制御装置、３２は制御パターン入力装置である。
　キ．【００１５】版替え前に印刷機を止める際には、予め入力装置３２から制御パターンを入力しておいた印刷機停止用の制御装置３１に、以下の様に制御し印刷機を止める。版替え前専用の印刷機停止ボタンが押されると、印刷状態のまま（図１の状態）呼出ローラ８の動作のみを停止させ、指定された枚数の紙だけがその後に印刷された後、インキ着けローラと版胴３、版胴３とブランケット胴２、ブランケット胴２と圧胴１、及び水着けローラ５とインキ着けローラ４をほぼ同時に離し（図５の状態）、最終紙が排紙された後、印刷機の回転を停止させる。
　ク．【００１６】この版替え前専用の制御装置３１により、インキ練りローラ群に溜まったインキは版の画線率に応じて印刷紙に取られるため、次の絵柄の印刷開始時においてインキ練りローラ群に残るインキ量は前に刷った絵柄にかかわらず一定量（図２の２７参照）となる。なぜなら絵柄面積率が大きい絵柄の場合はインキ練りローラに溜まるインキ量も多いが、版には画線部（インキが着く部分）が印刷されて紙に消費させる量が多く、絵柄面積率が小さい場合にはインキ練りローラに溜まる量は少ないが、紙に取られる量も少ないためである。
　ケ．【図１】には、インキ元ローラ７が記載されており、インキ元ローラ７に接してインキが保持されていることが看取できる。
　
　上記カ．に「３１はローラ着脱制御装置」、上記キ．に「印刷機停止用の制御装置３１」、上記ク．に「版替え前専用の制御装置３１」と、制御装置３１に異なる名称が付されているが、同じものを指していることは明らかである。（以後、統一して「印刷機停止用の制御装置３１」とする。）上記イ．の記載から、オフセット印刷機を認識できる。上記ケ．から、インキを保持している部分をインキ壺と称することに何の問題もない。上記ウ．、エ．には、絵柄面積率に対応したインキ量がインキ練りローラ９〜２５に溜まるようにインキ供給量をプリセットする旨記載され、これは、従来技術に関する記載ではあるが、上記刊行物の実施例に記載のオフセット印刷機も絵柄面積率に対応したインキ量がインキ練りローラ９〜２５に溜まるようにインキ供給量をプリセットする手段を有しているものと認められる。上記キ．の記載から、オフセット印刷機が版替え前専用の印刷機停止ボタンを有し、印刷機停止用の制御装置３１は、印刷状態のまま呼出ローラ８の動作のみを停止させる手段と、指定された枚数の紙だけがその後に印刷された後、インキ着けローラ４と版胴３及びブランケット胴２と圧胴１をほぼ同時に離す手段と、最終紙が排紙された後、印刷機の回転を停止させる手段とを有しているものと認められる。
　よって、上記記載及び図面を含む刊行物１全体の記載から、刊行物１には、以下の発明が開示されていると認められる。
「インキ壺と、インキ呼出ローラ８と、インキ練りローラ９〜２５と、インキ着けローラ４と、絵柄面積率に対応したインキ量がインキ練りローラ９〜２５に溜まるようにインキ供給量をプリセットする手段と、版胴３と、ブランケット胴２と圧胴１とを有するオフセット印刷機において、
　印刷機停止用の制御装置３１と版替え前専用の印刷機停止ボタンとを有し、
　前記印刷機停止用の制御装置３１は、印刷状態のまま呼出ローラ８の動作のみを停止させる手段と、指定された枚数の紙だけがその後に印刷された後、インキ着けローラ４と版胴３及びブランケット胴２と圧胴１をほぼ同時に離す手段と、最終紙が排紙された後、印刷機の回転を停止させる手段とを有している、
　オフセット印刷機。」
　
（ｂ）原査定の拒絶の理由に引用された刊行物である特開昭５５−２１２２６号公報（以下、「刊行物２」という。）には、以下の記載が図示とともにある。
　コ．「先ず、手動にて印刷部作動停止ボタンをＯＮにした後、印刷部の作動停止が実現された時点から概ね１０秒前であって、かつ、版胴５、５ａの回転数が略１００ｒｐｍ以内の前段階で順次次の動作が行なわれるように設定する。すなわち、先ず、Ｌ点において、インキ供給機構の作動停止が行なわれてインキ元ローラ１４、１４ａの駆動用モータＯＦＦ、インキ着けローラ７、７、７ａ、７ａの版胴５、５ａからの離脱が実行され、次いで、Ｍ点において、水供給機構の作動停止が行われて水元ローラ１３、１３ａの駆動用モータＯＦＦ、水着けローラ６、６ａの版胴５、５ａからの離脱が実行され、更に、Ｎ点において、ブランケット胴８、８ａの離脱とそれに代ってインフィードローラ１５の送りがＯＮとなる。前記Ｌ点とＭ点との時差は略５秒設けることが望ましく、それによって、版面に付着しているインキが水によりクリーンアップされ、以後の版胴処理が有利となる。」（第３頁左上欄第１８行〜右上欄第１５行）
　
４．対比
　本願発明と刊行物１記載の発明とを比較すると、刊行物１記載の発明の「インキ壺」、「版胴３」及び「インキ練りローラ９〜２５とインキ着けローラ４」は、それぞれ本願発明の「インキを一時的に貯蔵できるインキ壺」、「印刷を行なう版胴」及び「インキ壺より版胴にインキを供給するインキローラー群」に相当する。
　刊行物１記載の発明の「インキ供給量をプリセットする手段」は、絵柄面積率に対応したインキ量がインキ練りローラ９〜２５に溜まるようにインキ供給量をプリセットするものであるから、本願発明の「インキローラー上のインキ皮膜の膜厚分布を調整するインキキー」と、「インキローラー上のインキ皮膜の膜厚分布を調整するインキ調整手段」の点で共通する。
　刊行物１記載の発明の「版替え前専用の印刷機停止ボタン」が本願発明の「所定枚数印刷物の印刷終了後に、オフセット印刷機停止命令を入力できる命令入力手段」に相当する。
　刊行物１記載の発明の「印刷状態のまま呼出ローラ８の動作のみを停止させる手段」が、オフセット印刷機停止命令入力後に、呼出ローラ８の動作のみを停止させることは明らかであり、呼出ローラ８の動作が停止すれば、インキ壺からインキローラー群へのインキ供給を停止することになるから、刊行物１記載の発明の「印刷状態のまま呼出ローラ８の動作のみを停止させる手段」は、本願発明の「命令入力後に、インキ壺からインキローラー群へのインキ供給を停止するローラーインキ供給停止手段」に相当する。
　刊行物１記載の発明のインキ着けローラ４と版胴３及びブランケット胴２と圧胴１をほぼ同時に離す処理が、呼出ローラ８の動作のみを停止させた後、即ち、インキローラー群へのインキ供給停止後に実行されることは明らかであり、インキ着けローラ４と版胴３が離され、版胴３へインキが移動しなくなることは明らかであるから、刊行物１記載の発明の「インキ着けローラ４と版胴３及びブランケット胴２と圧胴１をほぼ同時に離す手段」は、「インキローラー群へのインキ供給停止後に、版胴へのインキ供給を停止する版胴インキ供給停止手段」を限度として、本願発明と一致する。
　よって、両者は、
「インキを一時的に貯蔵できるインキ壺と、印刷を行なう版胴と、前記インキ壺より版胴にインキを供給するインキローラー群と、該インキローラー上のインキ皮膜の膜厚分布を調整するインキ調整手段とを有するオフセット印刷機において、
　所定枚数印刷物の印刷終了後に、オフセット印刷機停止命令を入力できる命令入力手段と、
　該命令入力後に、インキ壺からインキローラー群へのインキ供給を停止するローラーインキ供給停止手段と、
　該インキローラー群へのインキ供給停止後に、版胴へのインキ供給を停止する版胴インキ供給停止手段と、
　を有するオフセット印刷機。」
の点で一致し、以下の点で相違している。
［相違点１］インキ調整手段に関し、本願発明は、インキキーであるのに対し、刊行物１記載の発明は、本願発明のような特定がなされていない点。
［相違点２］本願発明は、版胴へのインキ供給停止後に、オフセット印刷機の印刷を徐々に回転数を低下させて停止する印刷停止手段を有しているのに対し、刊行物１記載の発明は、本願発明のような特定がなされていない点。
　
５．判断
　上記相違点１について検討する。
　インキ調整手段として、インキキーは、例示するまでもなく周知技術であり、該周知技術を採用して上記相違点１に係る本願発明のような構成とすることは当業者が容易になし得る程度のことである。
　
　上記相違点２について検討する。
　本願発明の「オフセット印刷機の印刷を徐々に回転数を低下させて停止する」が何を意味するか必ずしも明らかではないが、平成１７年７月１９日付け審判請求書についての手続補正書の「３．本願発明と引用文献等に記載された発明との対比」の「（１）引用文献１〜４について」で「ａ．請求項１」に対する主張として、「本願発明において、「オフセット印刷機の印刷を徐々に回転数を低下させて停止する」というのは、オフセット印刷機の印刷（用紙へのインキの着肉）は継続したまま、オフセット印刷機の回転数を徐々に低下させ、それによって回転数が十分に低下した後に、オフセット印刷機の印刷を停止する（具体的には、用紙供給の停止、ブランケット胴の胴抜き又は印刷機の駆動の停止等を行う。本願明細書００１５参照）、という意味である。」と記載（この記載は、請求項１に関するものであるが、請求項３についても同様であることは明らかである。）されていること、及び本願明細書全体の記載から、本願請求項３記載の「印刷を」は「停止する」に掛かり、「印刷を停止する」には、ブランケット胴の胴抜き、即ち、ブランケット胴を印刷位置から離すことが含まれるから、本願発明の「オフセット印刷機の印刷を徐々に回転数を低下させて停止する」には、オフセット印刷機の回転数を徐々に低下させた後にブランケット胴を印刷位置から離すことが含まれているものと認められる。
　刊行物１記載の発明は、インキ着けローラ４と版胴３及びブランケット胴２と圧胴１をほぼ同時に離す手段を有しており、該手段によると、インキ着けローラ４と版胴３を離すときと、ブランケット胴２と圧胴１を離すときがほぼ同時である。即ち、版胴へのインキ供給停止と印刷の停止がほぼ同時になされるものである。また、版胴等の回転ローラを即座に停止しようとすると、オフセット印刷機に過剰な負荷が生じたり、インキの飛散が生じたりすることは明らかであり、版胴等の回転ローラを停止する際に徐々に回転数を低下させることは、技術常識であるから、刊行物１記載の発明の印刷機の回転を停止させる手段も徐々に版胴等の回転ローラの回転数を低下させるものといえる。そうすると、刊行物１記載の発明のオフセット印刷機で版替えする際は、版胴へのインキ供給停止と印刷の停止がほぼ同時であるから、版胴に取り付けられている印刷版には、インキが残存している状態で版胴等の回転ローラの回転数が徐々に低下し、やがてそれらが停止し、版替えの工程に移ることになる。版を取り替える際に、印刷版にインキが残存していると、扱い難いことは明らかであるから、印刷版の残存インキの除去が望まれるものである。
　一方、刊行物２には、Ｌ点でインキ着けローラ７、７、７ａ、７ａの版胴５、５ａからの離脱、即ち、版胴へのインキ供給停止が行われ、Ｌ点より後であるＮ点でブランケット胴８、８ａの離脱、即ち、印刷を停止し、その間、版面をクリーンアップする旨記載され、第２図から、Ｌ点よりＮ点の版胴回転数が少ないことが明らかであるから、版胴の回転数を徐々に低下させる間を利用して、版胴へのインキ供給停止後の印刷の停止、即ち、印刷版の残存インキの除去が行われているものと認められる。
　刊行物１記載の発明のオフセット印刷機で版替えする際、印刷版の残存インキの除去が望まれ、版替え停止時に版胴等の回転ローラの回転数が徐々に低下することは前述したとおりであり、回転数を徐々に低下させる間を利用して印刷版の残存インキの除去、即ち、版胴へのインキ供給停止後の印刷の停止を行うことが刊行物２に記載されているから、刊行物１記載の発明のオフセット印刷機においても、版替え停止時の版胴等の回転ローラの回転数が徐々に低下する時間を利用して、印刷版の残存インキの除去をしようと試みることは当業者が容易に想到し得ることであり、刊行物１記載の発明の印刷機停止用の制御装置３１に、版胴へのインキ供給停止後であって、オフセット印刷機の回転数が徐々に低下した後に印刷を停止する印刷停止手段を設け、上記相違点２に係る本願発明のような構成とすることは当業者が容易になし得る程度のことである。
　
　そして、本願発明の作用効果も、刊行物１、２記載の発明及び周知技術から当業者が予測できる範囲のものである。
　
６．むすび
　以上のとおり、本願発明は、刊行物１、２記載の発明及び周知技術に基づいて、当業者が容易に発明をすることができたものであるから、他の請求項に係る発明を検討するまでもなく、特許法第２９条第２項の規定により特許を受けることができず、本願は、拒絶されるべきものである。
　よって、結論のとおり審決する。